(57)【要約】【課題】  構造や製造工程を複雑にすることなく、振動による軋み音の発生を防止できる車両用計器を提供する。【解決手段】  車両の走行情報を表示する表示器１と、前記表示器を収納するケース体４と、このケース体４の開放側に表示器１を臨むことができるように覆う透光性パネル２と、この透光性パネル２の周縁部を覆うバイザー３と、を備えてなり、ケース体４は、透光性パネル２よりも硬度の小さいポリプロピレンなどの材質にて構成されるとともに、透光性パネル２を保持する。【選択図】  図１
2008279830.tif 000002
【特許請求の範囲】
【請求項１】
車両の走行情報を表示する表示器と、前記表示器を収納するケース体と、このケース体の開放側に前記表示器を臨むことができるように覆う透光性パネルと、この透光性パネルの周縁部を覆うバイザーと、を備えてなる車両用計器であって、
前記ケース体は、前記透光性パネルよりも硬度の小さい材質にて構成されるとともに、前記透光性パネルを保持することを特徴とする車両用計器。
【請求項２】
前記ケース体には、前記透光性パネルを係合保持するための弾性変形可能な係止部が一体に設けてなることを特徴とする請求項１に記載の車両用計器。
【請求項３】
前記バイザーは、前記ケース体によって保持されるとともに、この保持状態において、係止部の弾性変形を規制する規制部を設けてなることを特徴とする請求項２に記載の車両用計器。
【請求項４】
前記係止部は、前記ケース体の開放側から前記透光性パネルを組み付け可能とする形状にて形成されてなることを特徴とする請求項２に記載の車両用計器。
【請求項５】
前記ケース体は、前記表示器の表示エリアを定める見返し部を設けてなることを特徴とする請求項１に記載の車両用計器。
【発明の詳細な説明】
【技術分野】
【０００１】
本発明は、車両用計器に関し、例えば、自動車やオートバイなどに搭載され、車両速度等の情報を表示するための表示器を収納する車両用計器に関するものである。
【背景技術】
【０００２】
従来、自動車やオートバイなどに装備される車両用計器として、例えば、速度計，回転計，温度計などの計器類（表示器）は合成樹脂製からなる枠状の計器ハウジングなる筐体に取付固定されている。この場合、前記計器類などを取付固定した計器ハウジングの前面開放側（車両組付け状態における視認者側）を前記計器類に塵埃などが入らないように合成樹脂材料からなる透視可能な透過性パネルで覆って構成している（例えば、特許文献１参照）。なお、透過性パネルは、透明度の高いアクリル樹脂等の合成樹脂材が一般的に適用されている。
【０００３】
また、計器ハウジングの透光性パネルの周縁部分には、計器ハウジングの周面部分を覆って目隠ししたり、見栄えを良好にするためのバイザーが設けられている。なお、このバイザーは、外光による熱変形や、擦り傷の発生などを鑑みて耐熱性や耐摩耗性の高いＡＢＳ樹脂（アクリロニトリル・ブタジエン・スチレン樹脂）など比較的硬度の高い材質にて構成される。
【特許文献１】特開平１１−１１５８５６号公報
【発明の開示】
【発明が解決しようとする課題】
【０００４】
しかしながら、車両等の過酷な環境下で使用される車両用計器においては、前述した透過性パネルやバイザーなど比較的硬度の高い合成樹脂がテンションを付与された状態にて固定保持されているために、車両走行時の振動に伴って軋み音が発生してしまい、商品性を低下してしまうという問題があった。
【０００５】
また、軋み音の発生を抑制するために、パッキン等の軟質部材を専用に貼り付けるなどの方法が考えられるが、車両用計器として構造が複雑化したり、製造工程を煩雑にしてしまうといった問題があった。
【０００６】
そこで本発明の車両用計器は、上述した問題点に着目してなされたものであって、構造や製造工程を複雑にすることなく、振動による軋み音の発生を防止することにある。
【課題を解決するための手段】
【０００７】
本発明の車両用計器は、前述した課題を解決するため、請求項１に記載したように、車両の走行情報を表示する表示器と、前記表示器を収納するケース体と、このケース体の開放側に前記表示器を臨むことができるように覆う透光性パネルと、この透光性パネルの周縁部を覆うバイザーと、を備えてなる車両用計器であって、前記ケース体は、前記透光性パネルよりも硬度の小さい材質にて構成されるとともに、前記透光性パネルを保持することを特徴とする車両用計器。
【０００８】
また、請求項２に記載したように、請求項１に記載の車両用計器において、前記ケース体には、前記透光性パネルを係合保持するための弾性変形可能な係止部が一体に設けてなることを特徴とする。
【０００９】
また、請求項３に記載したように、請求項２に記載の車両用計器において、前記バイザーは、前記ケース体によって保持されるとともに、この保持状態において、係止部の弾性変形を規制する規制部を設けてなることを特徴とする。
【００１０】
また、請求項４に記載したように、請求項２に記載の車両用計器において、前記係止部は、前記ケース体の開放側から前記透光性パネルを組み付け可能とする形状にて形成されてなることを特徴とする。
【００１１】
また、請求項５に記載したように、請求項１に記載の車両用計器において、前記ケース体は、前記表示器の表示エリアを定める見返し部を設けてなることを特徴とする。
【発明の効果】
【００１２】
本発明は、車両の走行情報を表示する表示器と、前記表示器を収納するケース体と、このケース体の開放側に前記表示器を臨むことができるように覆う透光性パネルと、この透光性パネルの周縁部を覆うバイザーと、を備えてなる車両用計器であって、構造や製造工程を複雑にすることなく、振動による軋み音の発生を防止できる。
【発明を実施するための最良の形態】
【００１３】
以下、本発明が適用された実施の形態について添付図面を用いて説明する。
【００１４】
本発明を自動車のインストルメントパネルに設けられる車両用計器に適用したものを例に挙げて説明する。車両用計器は、図１に示すように、表示器１と、透光性パネル２と、バイザー３と、ケース体４と、から主に構成されている。
【００１５】
表示器１は、車両情報などを表示するものであり、この場合、エンジン回転数を表示するものである。表示器１は、計測量に応じて回動する指針１１と、この指針１１の指示対象となる目盛りや数値等の指標を設けてなる文字板１２と、文字板１２の孔部１２ａから軸１１ａを介して指針１１を回動させるためのステッピングモータからなる駆動源１３と、この駆動源を制御するための各種回路素子を備えた配線基板１４と、から主に構成されている。表示器１は、文字板１２の指針１１側の面を表面として車両用計器の視認者が視認することで計測量を対比判読させることができる。
【００１６】
透光性パネル２は、アクリル樹脂などの透明度の高い合成樹脂材を適用でき、この場合、透視可能なように透明で板状のものを用いており、表示器１の表示を臨むことができる。また、透光性パネル２は、表示器１への直接的な干渉を妨げたり、塵埃などが入らないようにするため表示器１の前記表面側を覆うようにして設けられる。
【００１７】
バイザー３は、この透光性パネル２の周縁部を覆うように設けられるとともに、車両用計器の外観を加飾するものである。バイザー３は、表示器１に外光が直接入射してしまうことをある程度防止するように構成されており、耐熱性や耐摩耗性の高いＡＢＳ樹脂など硬度の高い合成樹脂材が適用できる。この場合、バイザー３には、外観を構成する部分に塗装やクロームメッキ処理が施されている。
【００１８】
ケース体４は、表示器１を収納する枠状の筐体からなり、この場合、見返し部４１と、筐体部４２と、が別体にして設けられる。
【００１９】
見返し部４１は、透光性パネル２に用いられるアクリル系の合成樹脂よりも硬度の小さい、例えばポリプロピレンなどの合成樹脂材からなり、表示器１の前記表面側を囲むように設けられ、不必要な部分を隠すようにして表示エリアを定めるものである。見返し部４１は、その開放部分に透光性パネル２を係合保持するための複数のフック（係止部）４１ａを一体に形成している。このフック４１ａの弾性変形によって、透光性パネル２を開放側から組み付けて保持することができる。また、この場合、見返し部４１は、透光性パネル２と文字板１２との間隔を保持するスペーサとして機能している。
【００２０】
筐体部４２は、見返し部４１と同様の合成樹脂材からなり、表示器１やバイザー３を保持する部材である。筐体部４２は、バイザー３を係合保持するための複数のフック４２ａを形成している。筐体部４２は、表示器１を収納し保持するとともに、前記表面側（開放側）から、透光性パネル２を保持してなる見返し部４１を組付けてから、フック４２ａを用いてバイザー３を保持させることによって、見返し部４１をバイザー３と筐体部４２とで挟み込むようにして固定保持することができる。なお、バイザー３には、この固定保持状態において、フック４１ａの弾性変形を規制する規制部３１を設けてなり、透光性パネル２が振動などで移動したり外れたりすることを防止することができる。
【００２１】
かかる車両用計器は、車両の走行情報を表示する表示器１と、前記表示器を収納するケース体４と、このケース体４の開放側に表示器１を臨むことができるように覆う透光性パネル２と、この透光性パネル２の周縁部を覆うバイザー３と、を備えてなり、ケース体４は、透光性パネル２よりも硬度の小さいポリプロピレンなどの材質にて構成されるとともに、透光性パネル２を保持する。
【００２２】
したがって、アクリル樹脂やＡＢＳ樹脂など硬度の高い合成樹脂がテンションを付与された状態にて接しながら保持する構造ではなく、アクリル樹脂からなる透光性パネル２をポリプロピレンなど比較的硬度の小さい材質にて保持させることにより、専用の部品を設けることなく車両の振動によって発生する軋み音を防止することができる。
【００２３】
ケース体４には、透光性パネル２を係合保持するための弾性変形可能なフック（係止部）４１ａが一体に設けてなることによって、軋み音を防止した構造を簡単な組み付け工程によって得ることができる。
【００２４】
バイザー３は、ケース体４によって保持されるとともに、この保持状態において、係止部の弾性変形を規制する規制部３１を設けてなることによって、構造や製造工程を複雑にすることなく、振動による軋み音の発生を防止できる。
【００２５】
フック４１ａは、ケース体４の開放側から透光性パネル２を組み付け可能とする形状にて形成されてなることによって、構造や製造工程を複雑にすることなく、振動による軋み音の発生を防止できる。
【００２６】
ケース体４は、表示器１の表示エリアを定める見返し部４１を設けてなることによって、構造や製造工程を複雑にすることなく、振動による軋み音の発生を防止できる。
【００２７】
なお、本発明の車両用計器を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、ケース体４の見返し部４１と筐体部４２が一体に設けられてもよい。
【図面の簡単な説明】
【００２８】
【図１】本発明の実施の形態における車両用計器の要部を断面にて示す図。
【図２】同上実施の形態における透光性パネルの保持構造を示す断面図。
【符号の説明】
【００２９】
１      表示器
２      透光性パネル
３      バイザー
４      ケース体
【図１】
2008279830.tif 000003
【図２】
2008279830.tif 000004